(57)【要約】【課題】  釣竿を用意する必要がなく、また、構造を簡単にさせると共に、取り扱いを容易にさせ、しかも魚が掛かった時の負荷を素早く解除させて故障等のトラブルが生じないようにした釣用シャクリ装置の提供。【解決手段】  船縁９等に取り付けるための取付ベース１と、この取付ベースに取り付けた揺動腕２と、この揺動腕を揺動させるための揺動駆動手段（エアシリンダ３）と、前記揺動腕に釣糸の途中を留め付けるための留付手段（留め金具４）と、を備えている。使用に際しては、魚が掛かったときの負荷によって釣糸が留付手段から外れるようにさせる。【選択図】  図１
2011130693.tif 000002
【特許請求の範囲】
【請求項１】
船縁（９）等に取り付けるための取付ベース（１）と、この取付ベースに取り付けた揺動腕（２）と、この揺動腕を揺動させるための揺動駆動手段（３）と、前記揺動腕に釣糸（７）の途中を留め付けるための留付手段（４）と、を備えていることを特徴とする釣用シャクリ装置。
【請求項２】
請求項１記載の釣用シャクリ装置において、前記留付手段（４）が揺動腕（４）の長さ方向に移動可能に設けられている釣用シャクリ装置。
【請求項３】
請求項１又は２記載の釣用シャクリ装置を用いたシャクリ釣方法であって、魚が掛かったときの負荷によって釣糸（７）が前記留付手段（４）から外れるようにさせたことを特徴とするシャクリ釣方法。
【発明の詳細な説明】
【技術分野】
【０００１】
本発明は、船縁等に取り付けて使用する釣用シャクリ装置と、その釣用シャクリ装置を用いたシャクリ釣方法に関する。
【背景技術】
【０００２】
魚釣方法として、釣糸を張ったり緩めたりして仕掛けを上下や前後に動かすことにより魚を誘って釣果を得るようにしたシャクリ釣方法がある。
【０００３】
このようなシャクリ釣に際し、釣人の手で釣糸を張ったり緩めたりしてシャクリ動作をさせると、長時間に亘って腕に負荷がかかるため、釣人に疲れが生じる。
これを解決するために、従来、自動でシャクリ動作ができるようにした釣用シャクリ装置が提案されている（特許文献１、２、３参照）。
【０００４】
これら従来の釣用シャクリ装置は、そのいずれについても揺動装置と釣竿保持部とを備えた構造になっている。
使用に際しては、釣竿保持部に釣竿を着脱可能に取り付け、その上で揺動装置により釣竿保持部を揺動させることで釣竿を揺動させ、これにより釣糸を張ったり緩めたりしてシャクリ動作をさせる。
そして、魚が掛かると、釣竿に取り付けたリール、或いは装置に組み込んだリールで釣糸を巻上げていくようになっている。
【０００５】
このように従来の釣用シャクリ装置は、別途に用意した釣竿を釣竿保持部に取り付けて使用するものであるため、釣竿を購入するための費用が必要になる。
又、使用に際しても、釣竿を釣竿保持部に取り付けたり外したりする必要があるため使用に手間がかかるなど取り扱いが面倒であり、また、構造的が複雑になるため製作コスト面で不利になるし、メンテナンスにも手間がかかる。
更には、魚が掛かった時の負荷が釣竿を介して装置に伝わるため、過負荷によって釣竿保持部や揺動装置に故障等のトラブルが生じ易いなどの問題があった。
【先行技術文献】
【特許文献】
【０００６】
【特許文献１】特開２００６−２３８８６０号公報
【特許文献２】実開平７−７４２２号公報
【特許文献３】実用新案登録第３０４６７９６号公報
【発明の概要】
【発明が解決しようとする課題】
【０００７】
本発明は、釣竿を使用せずに釣糸をシャクリ動作させることができるようにしたもので、これにより釣竿を用意する必要がなく、また、構造を簡単にさせると共に、取り扱いを容易にさせ、しかも魚が掛かった時の負荷を素早く解除させて故障等のトラブルが生じないようにした釣用シャクリ装置及びその釣用シャクリ装置を用いたシャクリ釣方法を提供することを課題としている。
【課題を解決するための手段】
【０００８】
上記の課題を解決するために、本発明の請求項１に係る釣用シャクリ装置は、
船縁（９）等に取り付けるための取付ベース（１）と、この取付ベースに取り付けた揺動腕（２）と、この揺動腕を揺動させるための揺動駆動手段（エアシリンダ３）と、前記揺動腕に釣糸（７）の途中を留め付けるための留付手段（留め金具４）と、を備えている構成とした。
【０００９】
又、本発明の請求項２に係る釣用シャクリ装置は、
請求項１記載の釣用シャクリ装置において、前記留付手段（留め金具４）が揺動腕（４）の長さ方向に移動可能に設けられている構成とした。
【００１０】
又、本発明の請求項３に係るシャクリ釣方法は、
請求項１又は２記載の釣用シャクリ装置を用いたシャクリ釣方法であって、魚が掛かったときの負荷によって釣糸（７）が前記留付手段（留め金具４）から外れるようにさせた構成とした。
【発明の効果】
【００１１】
本発明の釣用シャクリ装置を使用するには、その準備段階として本装置を取付ベースによって船縁等に取り付ける。
【００１２】
魚釣に際しては、釣糸の先に作った仕掛けを水中に投入させることになるが、その際、釣糸の途中を留付手段に留め付けておく。
この場合、魚が掛かったときの負荷によって釣糸が前記留付手段から外れるように留め付けるもので、その留め付け力は、釣り対象となる魚種に応じ、釣人の経験等を参考にするなどして決定する。
【００１３】
次に、揺動駆動手段を作動させて揺動腕を揺動させるもので、この揺動によって前記留付手段に留め付けた釣糸を張ったり緩めたりしてシャクリ動作を行わせながら魚が掛かるのを待つ。即ち、揺動腕が釣人の腕、或いは釣竿の代わりとしての役を果たす。
【００１４】
そして、魚が掛かると、釣糸に下に引っ張る方向の負荷が加わることから、その負荷によって釣糸が留付手段から外れる。
この釣糸が外れたのを合図として、釣糸を釣人が手作業、或いは巻き上げ機によって巻き上げれば魚を釣り上げることができる。
【００１５】
このように、本発明の釣用シャクリ装置（請求項１）は、従来とは異なり、釣竿を使用せずに釣糸をシャクリ動作させることができる。
これにより釣竿を用意する必要がなくなり、釣竿を購入する費用負担や釣竿の手入れ等の手間を省くことができる。
【００１６】
本発明の釣用シャクリ装置は、取付ベースと、揺動腕と、揺動駆動手段と、留付手段とで成り立つ構成であるため、その構造が極めて簡単になり、製作コストを低減できるし、メンテナンスや取り扱いを容易にさせることができる。
【００１７】
なお、留付手段を揺動腕の長さ方向に移動可能に設ける構成にすると（請求項２）、釣糸の留め付け位置を可変調整することができ、魚種等の釣条件に応じた最適のシャクリ幅に設定できる。
【００１８】
本発明のシャクリ釣方法（請求項３）は、魚が掛かったときの負荷によって釣糸が留付手段から外れるため、これを魚が掛かったことの合図として迅速に対応できるし、特に、魚が掛かった時の負荷が装置に伝わるのを素早く解除できるため、過負荷による装置の故障等のトラブルを防止することができる。
【図面の簡単な説明】
【００１９】
【図１】本発明の実施例に係る釣用シャクリ装置を示す側面図。
【図２】その釣用シャクリ装置を示す平面図。
【図３】その釣用シャクリ装置における留付手段（留め金具）を示す斜視図。
【発明を実施するための形態】
【実施例】
【００２０】
本実施例の釣用シャクリ装置は、取付ベース１と、揺動腕２と、揺動駆動手段としてのエアシリンダ３と、留付手段としての留め金具４と、を主な構成として備えている。
【００２１】
前記取付ベース１は本装置を船縁９等に着脱可能に取り付けるためのもので、ベース板１１の下面にコ字状枠１２が固着され、このコ字状枠１２の内側片に固定用ボルト１３が取り付けられている。
したがって、前記コ字状枠１２を、船縁９を跨ぐように載置させてから前記固定用ボルト１３を船縁９の内面に締め付けることにより、取付ベース１を船縁９に着脱可能に取り付けることができる。
【００２２】
前記揺動腕２は前記取付ベース１の上面に取り付けられている。
実施例の揺動腕２は基端部材２１の上端にネジ棒２２が取り付けられたもので、前記基端部材２１の中程がベース板１１の上面に設けた支持台１４上の軸受２３に軸２４を介して揺動可能に軸支されている。
【００２３】
前記揺動駆動手段としてのエアシリンダ３は、その基端がベース板１１の上面に設けた台座１５上のブラケット３１に軸３２を介して軸着され、そのシリンダロッド３３の先端が前記揺動腕２の基端部材２１の下端に軸３４を介して軸着されている。
従って、エアシリンダ３を往復動させることにより、前記揺動腕２を、軸２４を中心として図１の実線位置Ｍと仮想線位置Ｎとの間で揺動させることができる。
なお、揺動腕２の揺動方向は、図１、図３の矢印Ａで示した左右方向に限らず、上下方向に揺動させてもよい。
【００２４】
前記エアシリンダ３はコンプレッサ８からの空気圧によって往復動するもので、この場合、スタート弁８１をＯＮにさせると、前記シリンダロッド３３の位置を検知する検知弁（図示省略）が作動し、この検知弁からの空気圧によってエアシリンダ３に空気を供給する往復作動弁８２が切り替わるように制御されている。
【００２５】
揺動駆動手段としては、実施例のエアシリンダ３に限定されることはなく、例えば、電動モータを使用し、カムやリンクや歯車等を介して揺動腕２を揺動させる構造でもよい。
また、エアシリンダ３や電動モータの作動速度を調節可能にさせることにより揺動腕２の揺動速度を可変させることができる。
【００２６】
なお、前記コンプレッサ８は、作業の邪魔にならないような場所に設置され、船に搭載した発電機（図示省略）からの直流電力をインバータ（図示省略）により交流電力に逆変換させて作動する。
【００２７】
前記留付手段としての留め金具４は、前記揺動腕２に釣糸の途中を留め付けるためのもので、実施例では、揺動腕２のネジ棒２２に螺合させたナット４１にＬ字材４２を固着させたものになっている。
このように、ネジ棒２２とナット４１を用いることで、留め金具４を揺動腕２の長手方向（図３の矢印Ｂ方向）に移動させることができる。
なお、留め金具４は必ずしも移動可能に設ける必要はなく、揺動腕２の先端等に固着させてもよい。
【００２８】
そして、この留め金具４に釣糸７を留め付けるに際し、魚が掛かったときの負荷によって釣糸７が前記留め金具４から外れるように留め付けるものである。
実施例では、釣糸７（例えば、１００号）よりも細くて切れ易いテグス４０（例えば、１号）によって釣糸７の途中を前記Ｌ字材４２に結び付けるようにしている。
その他の留め付け方法としては、例えば、一定の力で開いたり、切れたり、折れたりする部材で釣糸７を留め金具４に留め付けるようにするなど、要は、一定の負荷により釣糸７が留付手段（留め金具４）から外れる構造であればよい。
【００２９】
なお、釣糸７の手元側は繰り出しの余裕を持たせて釣糸用樽（図示省略）内に収容させたり、自動巻き取り装置（図示省略）で巻き取らせたりするなど適宜にできる。
【００３０】
本実施例の釣用シャクリ装置は取付ベース１によって船縁９等に取り付けた状態で使用する。
そして、前記したように釣糸７の途中を留め金具４に留め付け、次に、エアシリンダ３を作動させて揺動腕２を揺動させるもので、この揺動により釣糸７をシャクリ動作させる。
即ち、釣竿を使用せずに釣糸７だけをシャクリ動作させる。
【００３１】
このシャクリ動作により誘われて魚が掛かると、魚の引きによる負荷によって釣糸７が留め金具４から外れる。
従って、釣人は釣糸７が外れたのを合図として釣糸７を巻き上げれば魚を釣り上げることができる。
【００３２】
上記したように、本発明の釣用シャクリ装置は釣竿を使用せずに釣糸だけをシャクリ動作させることができる。
これにより釣竿を用意する必要がなくなるし、又、構造が簡単になると共に、取り扱いが容易になる。
しかも魚が掛かった時の負荷を素早く解除させて過負荷に伴う故障等のトラブルを防止させることができる。
【符号の説明】
【００３３】
１  取付ベース
１１  ベース板
１２  コ字状枠
１３  固定用ボルト
１４  支持台
１５  台座
２  揺動腕
２１  基端部材
２２  ネジ棒
２３  軸受
２４  軸
３  エアシリンダ（揺動駆動手段）
３１  ブラケット
３２  軸
３３  シリンダロッド
３４  軸
４  留め金具（留付手段）
４０  テグス
４１  ナット
４２  Ｌ字材
７  釣糸
８  コンプレッサ
８１  スタート弁
８２  往復作動弁
９  船縁
【図１】
2011130693.tif 000003
【図２】
2011130693.tif 000004
【図３】
2011130693.tif 000005